(57)【要約】      （修正有）【課題】計器の端子台に取り付け後に、端子台接触部材が、端子具との接触位置からずれたり、端子ボックスから脱落したりすることがなく、更に狭所に配置された計器の端子ボックスに取り付けられた計測器用アダプタに対して計測器との電気的接続が簡易な計測器用アダプタを提供する。【解決手段】計測器用アダプタ１は、表面４４から背面４３に向けて延びる貫通孔４６を有するプレート部材２８と、背面４３よりも貫通孔４６の軸方向外側に配置されると共に導電性の素材により形成された端子接触部材２９と、一方側が摘まみ部材３１に他方端が端子接触部材２９に連結された連結部材３２により成る操作部材３０と、計器２の端子ボックス４との固定を可能とした取付用通孔とにより構成され、端子接触部材２９は、計測器と電気的に接続するための配線３５を有し、この配線３５は、プレート部材２８の内部を通って下面から引き出される。【選択図】図３
2012132788.tif 000002
【特許請求の範囲】
【請求項１】
既設の計器の端子ボックスに取り付けられた端子具の頭部に電気的に接続して前記端子具から電圧を検出し、この検出した電圧の計測値を計測器に送る計測器用アダプタであって、
前記端子ボックスの表面に当接することが可能な背面と、この背面とは反対側に位置する表面とを有すると共に、この表面から前記背面にかけて形成された貫通孔と、前記端子ボックスの表面に開口した取付孔と連通させて、固定具を挿通させることで前記端子ボックスとの固定を可能とした取付用通孔とが形成されたプレート部材と、
前記プレート部材の背面側に配置されると共に導電性の素材により形成され、前記端子具と接触することが可能な端子接触部材と、
前記プレート部材の表面側に配置された摘まみ部材及び、この摘まみ部材から前記プレート部材の貫通孔を通って前記端子接触部材と連結された連結部材により成る操作部材と、
により構成されたことを特徴とする計測器用アダプタ。
【請求項２】
前記端子接触部材は、前記計測器と電気的に接続するための配線を有し、この配線は、前記プレート部材の内部を通って当該プレート部材の前記貫通孔の径方向に位置する面から引き出されることを特徴とする請求項１に記載の計測器用アダプタ。
【請求項３】
前記配線に設けられた共用コネクタと、この共用コネクタ及び前記計測器に接続される中継配線器具とを有し、
前記中継配線器具は、前記計測器の種類に対応して複数の種類のものが用いられていると共に、
前記配線の共用コネクタは、いずれの種類の中継配線器具を選択しても当該中継配線器具のコネクタと着脱自在に接続することを特徴とする請求項２に記載の計測器用アダプタ。
【発明の詳細な説明】
【技術分野】
【０００１】
この発明は、既設の電力量計の電力量等の情報を端子から検出するために電力量計の端子台等の被検出対象に取り付けられる計測器用アダプタの構成に関する。
【背景技術】
【０００２】
電気利用者からの依頼等に基づき、既設の電力量計で計量される電力量の正確性を検査する場合には、記録電圧計ＭＲＣ−６４０や記録電圧計ＭＲＣ−６５０等の記録電圧計を用いる場合があり、この種の記録電圧計を用いる場合には、特許文献１の従来技術の欄に示されるように、既設の電力量計の端子ボックスに配置された端子にクリップを接続して、電力量計から電圧を検出する手法にて、測定を行うのが一般的であった。
【０００３】
もっとも、上記の測定の手法では、電力量計が通電状態のままクリップを電力量計の端子に接続するので、作業者の感電、短絡、漏電の不具合が生ずるおそれがあり、また、端子に接続されたクリップが外れる可能性もあった。更に、１２０Ａ用の電力量計等のある種の計器では、端子の出っ張りがないためクリップで端子を摘むことができないという不都合もあった。このため、例えば上記特許文献１に示される電圧検出アダプタが発明されており、更には、かかる電圧検出アダプタの構成は既に公知になっている。
【０００４】
この特許文献１に示される電圧検出アダプタについて概説すると、既設の計器の電圧端子から電圧検出を行うことを目的としたものであって、計器の電圧端子を有する端子ボックスの表面に接することができると共に中央に開口部を有する枠状のアダプタ板と、計器の端子ボックスに設けられたねじ穴に螺込まれることによりアダプタ板をこの計器の端子ボックスに固定することができると共に、アダプタ板の開口部の上縁と下縁とに係合されて横幅方向に移動可能でもあるアダプタ板取付具と、アダプタ板の開口部の上縁と下縁とに係合された電圧端子検出固定具に装着されることでアダプタ板の横幅方向に移動可能であり、アダプタ板が計器の端子ボックスに固定された際に計器の電圧端子と接続される電圧端子検出具とを有した構成となっている。尚、特許文献１のアダプタ板は本発明のプレート部材と略同義のものである。
【先行技術文献】
【特許文献】
【０００５】
【特許文献１】特開平５−１８９９２号公報
【発明の概要】
【発明が解決しようとする課題】
【０００６】
しかしながら、特許文献１に示される電圧検出アダプタでは、電圧端子検出具が装着された電圧端子検出固定具をアダプタ板に対しその横幅方向に移動可能としたことにより、電圧端子検出固定具を電圧端子と一致するように位置決めした後に、電圧端子検出固定具に力が加わる等して電圧端子検出固定具がその位置決めされた箇所からずれるおそれがある。しかも、特許文献１に示される電圧検出アダプタでは、アダプタ板に形成された開口部の上下幅を電圧端子検出固定具よりも拡大させる凹部が形成されているので、電圧端子検出固定具がこの凹部から脱落するおそれもある。このような電圧端子検出固定具の位置決め後のずれや脱落を防止するためには、電圧端子検出固定具と計器の端子ボックスとにねじ穴（特許文献１の図１（ａ）の電圧端子検出固定具に描かれた黒点はねじ穴であると推定する。）を設け、このねじ穴に螺子を挿通して電圧端子検出固定具と計器の端子ボックスとを螺合する必要がある。そして、特許文献１の図４に示されるアダプタ板取付具の構造は、市販のプラス螺子等の固定具とは異なっており、これによりアダプタ板取付具は専用品となっている。このため、特許文献１に示される電圧検出アダプタの構成では、既存の計器の端子ボックスへの使用が困難であり、市販の固定具をそのまま用いることができないという不具合を有する。
【０００７】
また、特許文献１に示される電圧検出アダプタは、接続する端子の数に対応した数（３個）の電圧端子検出具、接続する端子の数に対応した数（３個）の電圧端子検出固定具、端子台の取付孔の数に対応した数（２個）のアダプタ板取付固定具、及びアダプタ板というように、多数（合計１１個）且つ相対的に複雑な形態の部品を有して構成されており、これに伴い、電圧検出アダプタの製造コストも部品点数が相対的に多いために高くなるおそれがある。
【０００８】
更に、特許文献１に示される電圧検出アダプタは、上記の電圧端子検出具、電圧端子検出固定具、アダプタ板取付具、及びアダプタ板取付固定具がアダプタ板の表面側に配置されているので、特許文献１に示される電圧検出アダプタを計器の端子ボックスに長期にわたって取り付ける場合には、ゴミ等の異物の付着により、感電、短絡、漏電等の不具合が生ずるおそれがある。
【０００９】
更にまた、特許文献１に示される電圧検出アダプタでは、アダプタ板に対し正面側から電圧端子検出具の穴に対し軸方向に沿って電圧検出プラグを差し込む必要があるので、電圧検出アダプタのアダプタ板の正面側に所定の作業スペースを確保する必要があり、狭所に取り付けられた計器の端子ボックスに電圧検出アダプタを設置した場合には、電圧検出アダプタと計測器との電気的接続が容易ではないという不具合も有する。
【００１０】
そこで、本発明は、計器の端子台に取り付け後に、端子台接触部材が端子との接触位置からずれたり、かかる端子接触部材が脱落したりすることがなく、構成部品の全数も相対的に少なく、プレート部材の表面側に配置された構成部品はゴミ等の異物が付着しても感電、短絡、漏電等の不具合が生ずるおそれがなく、更に、狭所に配置された計器の端子ボックスに取り付けられた計測器用アダプタに対して計測器との電気的接続を簡易に行うことが可能であり、しかも、計器の端子台には改良を施す必要がなく、市販の固定具を用いることができる計測器用アダプタを提供することを目的とする。
【課題を解決するための手段】
【００１１】
この発明に係る計測器用アダプタは、既設の計器の端子ボックスに取り付けられた端子具の頭部に電気的に接続して前記端子具から電圧を検出し、この検出した電圧の計測値を計測器に送る計測器用アダプタであって、前記端子ボックスの表面に当接することが可能な背面と、この背面とは反対側に位置する表面とを有すると共に、この表面から前記背面にかけて形成された貫通孔と、前記端子ボックスの表面に開口した取付孔と連通させて、固定具を挿通させることで前記端子ボックスとの固定を可能とした取付用通孔とが形成されたプレート部材と、前記プレート部材の背面側に配置されると共に導電性の素材により形成され、前記端子具と接触することが可能な端子接触部材と、前記プレート部材の表面側に配置された摘まみ部材及び、この摘まみ部材から前記プレート部材の貫通孔を通って前記端子接触部材と連結された連結部材により成る操作部材と、により構成されたことを特徴としている（請求項１）。ここで、プレート部材及び操作部材の摘まみ部材は少なくとも導電性を有しない素材で形成されている。また、計器とは例えば電力量計であり、計測器とは例えば記録電圧計ＭＲＣ−６４０や記録電圧計ＭＲＣ−６５０等の記録電圧計である。
【００１２】
これにより、操作部材の摘まみ部材を持って回転させることにより、摘まみ部材と連結部材を介して連結された端子接触部材は、凹部内を計器の端子ボックスの端子側に移動して端子具の表面に強く当接されるので、端子接触部材の端子具への当接状態は、プレート部材が固定具を介して計器の端子ボックスに固定されている状態に依存することがないため、端子接触部材の端子具への当接を個別且つ確実に行うことが可能となる。
【００１３】
また、端子接触部材を端子具に当接した後において、端子接触部材の位置がプレート部材の横幅方向等にずれたりすることもないので、端子接触部材の端子具に対する事後的な接触不良も防止することができる。
【００１４】
更に、端子接触部材は、プレート部材の表面側に位置する摘まみ部材と連結部材を介して一体化されているので、端子接触部材が脱落するおそれがない。
【００１５】
更にまた、この計測器用アダプタは、板状を成すと共に貫通孔や取付用通孔が形成されたのみで、大きな開口部の形成等がなされていないプレート部材と、端子接触部材と、この端子接触部材にその一方端が連結された連結部材及びこの連結部材の他方端に連結された摘まみ部材から成る操作部材とで構成されたものであり、構成部品の全数が相対的に少ないと共に、各構成部品の形態・構造も相対的に単純である。
【００１６】
そして、この計測器用アダプタは、プレート部材の表面上には操作部材の摘まみ部材しか略存しないので、ゴミ等の異物が付着しても感電、短絡、漏電等の不具合が生ずるおそれがない。
【００１７】
また、この発明に係る計測器用アダプタでは、前記端子接触部材は、前記計測器と電気的に接続するための配線を有し、この配線は、前記プレート部材の内部を通って当該プレート部材の前記貫通孔の径方向に位置する面から引き出されることを特徴としている（請求項２）。プレート部材の貫通孔の径方向に位置する面とは、例えば計器の端子ボックスにプレート部材を取り付けた際に鉛直方向の下方となる下面である。
【００１８】
これにより、計測器用アダプタを計器の端子台に取り付けた時に、計測器と電気的に接続するための配線を計器の端子台の下方から引き出されるようにすることが可能であり、更に、この端子台の下方から引き出された配線に計測器と接続するためのコネクタを設けることができるので、計測器用アダプタの表面側に計測器との接続作業をするための作業スペースを確保する必要性がない。
【００１９】
更に、この発明に係る計測器用アダプタは、前記配線に設けられた共用コネクタと、この共用コネクタ及び前記計測器に接続される中継配線器具とを有し、前記中継配線器具は、前記計測器の種類に対応して複数の種類のものが用いられていると共に、前記配線の共用コネクタは、いずれの種類の中継配線器具を選択しても当該中継配線器具のコネクタと着脱自在に接続することを特徴としている（請求項３）。
【００２０】
これにより、計測器用アダプタは、計測器の種類ごとに第２のコネクタの形状を異ならせるために、複数の種類の中継配線器具を備えていても、配線のコネクタと各中継配線器具の第１のコネクタとを接続することができるので、特定の計測器専用のアダプタとならず、汎用性を持たせることができる。
【発明の効果】
【００２１】
以上のように、請求項１及び請求項２に記載の発明によれば、操作部材の摘まみ部材を持って回転させるのみで、摘まみ部材と連結部材を介して連結された端子接触部材は、計器の端子ボックスの端子側に移動して端子具の表面に強く当接され、端子接触部材の端子具への当接状態について、プレート部材が固定具を介して計器の端子ボックスに固定されている状態に依存することがないので、端子接触部材の端子具への当接を個別且つ確実に行うことが可能となり、端子接触部材の端子具への接触不良を防止することができると共に、端子接触部材を端子具に当接させるための作業も簡易に行うことが可能である。
【００２２】
また、請求項１及び請求項２に記載の発明によれば、プレート部材の取付用通孔を電力量計の端子台に形成された取付孔に連通させて、固定具をプレート部材の取付用通孔から端子台の取付孔に達するまで差し込むことで、端子接触部材が端子に対峙した位置からプレート部材の上下方向や横幅方向にずれることがない。すなわち、端子接触部材を端子具に当接させた後に、端子接触部材の位置が端子具に対してプレート部材の上下方向や横幅方向にずれる事態を招くことがない。よって、端子接触部材の端子具に対する事後的な接触不良も防止することができる。しかも、端子接触部材は、プレート部材の表面側の摘まみ部材に連結部材を介して一体化されているので、端子接触部材がプレート部材から脱落するのを防止することができる。
【００２３】
更に、請求項１及び請求項２に記載の発明によれば、計測器用アダプタについて、板状を成すと共に貫通孔や取付用通孔が形成されたのみのプレート部材と、端子接触部材と、この端子接触部材とその一方端が連結された連結部材及びこの連結部材の他方端と連結された摘まみ部材から成る操作部材とで構成されたものとして、構成部品の全数を相対的に削減すると共に、各構成部品の形態・構造も相対的に単純化したので、計測器用アダプタの製造コストを低減することが可能である。そして、請求項１及び請求項２に記載の発明によれば、計測器用アダプタを取り付ける計器の端子台に改良を施す必要がなく、計測器用アダプタの取付用通孔から端子台の取付孔に挿通させる固定具も、市販のもので良いので、この点からもコスト削減を図ることが可能である。
【００２４】
更にまた、請求項１及び請求項２に記載の発明によれば、プレート部材の表面上には、操作部材の摘まみ部材しか略存しないので、計測器用アダプタを長期にわたって計器の端子台に取り付けて、この摘まみ部材にゴミ等の異物が付着しても、感電、短絡、漏電等の不具合が生ずるおそれを防止することができる。
【００２５】
特に請求項２に記載の発明によれば、計測器用アダプタを計器の端子台に取り付けた時に、計測器と電気的に接続するための配線を計器の端子台の下方から引き出されるようにすることが可能であり、更に、この端子台の下方から引き出された配線に計測器と接続するためのコネクタを設けることができるため、計測器用アダプタの表面側に計測器との接続作業をするための作業スペースを確保する必要性がないので、計器が狭所に設置されていても、この計器の端子台に取り付けられた計測器用アダプタと計測器との電気的接続は簡易に行うことが可能である。
【００２６】
特に請求項３に記載の発明によれば、計測器用アダプタは、計測器の種類ごとに第２のコネクタの形状を異ならせるために、複数の種類の中継配線器具を備えていても、配線のコネクタと各中継配線器具の第１のコネクタとを接続することができることから、特定の計測器専用のアダプタとならず、汎用性を持たせることができるので、計測器用アダプタの製造コストの削減を図ることが可能である。
【図面の簡単な説明】
【００２７】
【図１】図１は、この発明に係る計測器用アダプタを電力量計の端子ボックスに取り付ける工程と、この計測器用アダプタに接続される配線の態様とを示した説明図である。
【図２】図２（ａ）は、同上の計測器用アダプタが取り付けられる電力量計の端子ボックスの正面図であり、図２（ｂ）は、同上の計測器用アダプタの電力量計側とは反対側となる正面図である。
【図３】図３は、同上の計測器用アダプタが電力量計の端子ボックスに取り付けられて、端子接触部材が端子具に当接した状態を模式的に示す断面図である。
【発明を実施するための形態】
【００２８】
以下、この発明の実施形態を図面に基づいて説明する。
【００２９】
図１において、この発明に係る計測器用アダプタ１が使用される計器の一例として、電力量計２の全体図が示されている。この電力量計２自体は、公知のものであって、計器本体部３と端子ボックス４とで構成されており、計器本体部３の正面側にはこの計器本体部３で計測した電力量の積算値に関する情報が表示される表示部５が配置されている。
【００３０】
端子ボックス４は、計器本体部３の下部に位置しており、この実施例では、図１及び図２（ａ）に示されるように、電源側の端子６、７、８と負荷側の端子９、１０、１１とが設けられた三相３線式に対応したものとなっている。電源側の端子６、７、８は、電線１２、１３、１４の端末と接続され、負荷側の端子９、１０、１１は、電線１５、１６、１７の端末と接続されている。
【００３１】
そして、各電線１２から１７は、端子ボックス４にその下部側から差し込まれて、端子ボックス４のうち計器本体部３の表示部５と同じ側となる表面１８に開口した凹部１９、２０、２１、２２、２３、２４側から端子６、７、８、９、１０、１１にそれぞれ挿通させた端子具２５、２６により締め付けられて保持されている。端子具２５、２６は、例えば頭部がマイナスに切られた螺子であり、端子具２５と端子具２６とが上下方向に並ぶかたちで各凹部１９から２４内に収められる。
【００３２】
更に、端子ボックス４は、端子カバー等を取り付けるための取付孔２７が端子６、端子１１よりも側方端側に２つ設けられている。
【００３３】
尚、これらの端子ボックス４の構成は、既存の電力量計の端子ボックスと変わるところがなく、計測器用アダプタ１を取り付けるための改良はなされていない。
【００３４】
計測器用アダプタ１は、図１から図３に示されるように、プレート部材２８と、電源側の端子６、７、８の数に対応した数の端子接触部材２９と、電源側の端子６、７、８の数に対応した数の操作部材３０とを有して構成され、更に、端子接触部材２９と操作部材３０とは下記するように連結されているので、この計測器用アダプタ１の構成部品の点数は実質的には４個となっている。
【００３５】
プレート部材２８は、端子ボックス４の表面１８の凹部１９から２４の周縁部位とガタツキなく当接することができる背面４３と、端子ボックス４側とは反対側となる外側に向いた表面４４とを有した厚みの薄い直方体の板状のもので、端子間が短絡しないように、導電性を有しない素材により形成されている。そして、このプレート部材２８は、表面４４から背面４３にかけて延びてプレート部材２８を貫通した２つの取付用通孔３３が２つ設けられている。これらの２つの取付用通孔３３は、螺子切りされており、プレート部材２８を端子ボックス４の表面１８に当接させた際に、端子ボックス４に形成された２つの取付孔２７とそれぞれ連通するように配置されている。尚、端子ボックス４の取付孔２７とプレート部材２８の取付用通孔３３の内径寸法は、市販のプラス螺子等の固定具３４が挿通される大きさとなっている。そして、この固定具３４の長手方向の寸法は、当該固定具３４を取付用通孔３３から差し込んだ際に、その先端部位が取付孔２７内に十分に達する長さとなっている。
【００３６】
また、プレート部材２８は、端子ボックス４の表面１８に、取付孔２７と取付用通孔３３とが連通するように当接させたときに、計器本体部３側の端子具２５の軸方向となる位置において、表面４４から背面４３にかけて延びてプレート部材２８を貫通した貫通孔４６が図３に示されるように設けられている。この貫通孔４６の数は、電源側の端子６、７、８に挿通した端子具２５の数と同じであると共にその内周面が螺子切りされている。
【００３７】
そして、計測器用アダプタ１は、図３に示されるように、端子ボックス４の凹部１９から２４（但し、図３では便宜上、凹部１９のみを示す。）とプレート部材２８の背面４３とで画成された略密閉状の空間Ｓに配置されることとなる端子接触部材２９を有する。この端子接触部材２９は、金属等の導電性に優れた素材により形成されたもので、端子具２５の頭部の表面とガタツキなく相対的に広い面積で当接することが可能な面、例えば平坦面を有している。
【００３８】
端子接触部材２９は、端子具２５とは反対側において棒体状の連結部材３２の長手方向の一方端と連結されている。この連結部材３２は、操作部材３０の一部を構成するものであり、その側面が螺子切りされて、プレート部材２８の貫通孔４６の螺子切りされた内周面と、螺子山及び螺子溝にて相互に噛み合いながら、貫通孔４６に挿通されている。この連結部材３２の軸方向寸法は、貫通孔４６の軸方向寸法よりも若干大きくなっており、このため、連結部材３２は、貫通孔４６への挿通時において、その長手方向の両端若しくはその一方端がプレート部材２８の表面４４及び背面４３の双方、又は表面４４、背面４３のうちの一方よりも突出したものとなる。
【００３９】
更に、連結部材３２は、端子接触部材２９が連結された側とは反対側となる長手方向の他方端に、操作部材３０の一部を構成する摘まみ部材３１が連結されている。この摘まみ部材３１は、作業者の手の指先で摘んで回すのに適した形状、例えば円錐台状をなしており、その外径寸法はプレート部材２８の貫通孔４６の内径寸法よりも大きくなっている。尚、図１及び図３に示されるように、摘まみ部材３１の表面に条状の突起部若しくは溝部を設けて、摘まみ部材３１を回す操作をより容易にできるようにしても良い。
【００４０】
このように、操作部材３０を構成する摘まみ部材３１は、同じく操作部材３０を構成する連結部材３２を介して端子接触部材２９と一体的に形成されているもので、摘まみ部材３１の外径寸法と端子接触部材２９の外径寸法とが、貫通孔４６の内径寸法よりも大きいので、操作部材３０及びこれと連結された端子接触部材２９が貫通孔４６から脱落することはない。また、端子接触部材２９が導電性を有していても、摘まみ部材３１又は、摘まみ部材３１と連結部材３２との双方が導電性を有しない素材で形成されることにより、摘まみ部材３１を指先で摘んでも作業者が感電することはない。
【００４１】
更にまた、この実施例では、各端子接触部材２９に配線３５が接続されている。この配線３５は、例えば図３に示されるように、その途中の部位からプレート部材２８の中を通った後、図１及び図２（ｂ）に示されるように、プレート部材２８の下面４５から引き出されている。
【００４２】
そして、プレート部材２８の下面４５から引き出された配線３５は、１つの束に集約されており、この配線３５の束の先端に共用コネクタ３６が設けられている。この共用コネクタ３６は、この実施例では、３つの端子孔を有するメス型コネクタである。
【００４３】
計測器用アダプタ１は、図１に示されるように、中継配線器具３７や中継配線器具４０等の複数の種類の中継配線器具も有して構成されている。
【００４４】
このうち、中継配線器具３７は、例えば、図示しない記録電圧計ＭＲＣ−６４０等の記録電圧計と計測器用アダプタ１との双方とに接続するためのもので、記録電圧計ＭＲＣ−６４０と接続するための構成として、コネクタ３９はメス型コネクタをなしている。そして、中継配線器具３７の共用コネクタ３６と接続するためのコネクタ３８は、３つの端子が突出したオス型コネクタとなっている。
また、中継配線器具４０は、例えば、図示しない記録電圧計ＭＲＣ−６５０等の記録電圧計と計測器用アダプタ１との双方とに接続するためのもので、記録電圧計ＭＲＣ−６５０と接続するための構成として、コネクタ４２の数は３つになっていると共に、各コネクタ４２はＦ型コネクタとなっている。そして、中継配線器具４０の共用コネクタ３６と接続するためのコネクタ４１は、３つの端子が突出したオス型コネクタとなっている。
【００４５】
すなわち、この実施例では、中継配線器具３７のコネクタ３８と中継配線器具４０のコネクタ４１とは共通の構成をなしており、これに伴い、配線３５の共用コネクタ３６は、中継配線器具の種類が計測器の種類に対応すべく多岐にわたっていても、中継配線器具３７のコネクタ３８、中継配線器具４０のコネクタ４１等、いずれの中継配線器具ともかかる中継配線器具が有するコネクタと接続することが可能になっている。
【００４６】
次に、これらの計測器用アダプタ１、端子ボックス４及び、中継配線器具３７、４０の構成に基づき、計測器用アダプタ１を端子ボックス４に取り付け、計測器用アダプタ１の端子接触部材２９を端子ボックス４の端子具２５に当接させ、配線３５の共用コネクタ３６に中継配線器具３７、４０のコネクタ３８、４１を接続させる工程の一例について以下に説明する。
【００４７】
まず、端子ボックス４の取付孔２７と取付用通孔３３とが連通するように、プレート部材２８の背面４３を端子ボックス４の表面１８に当接させて、この連通した状態の取付用通孔３３と取付孔２７とに、固定具３４を、その先端が取付孔２７内に十分に達するまでねじ込む。これにより、端子ボックス４への計測器用アダプタ１の取り付けが行われ、プレート部材２８は、端子ボックス４に対して固定されたものとなり、端子ボックス４に対して横幅方向や上下方向にずれたりすることが回避される。
【００４８】
そして、この端子ボックス４への計測器用アダプタ１の取り付け時において、計測器用アダプタ１の端子接触部材２９は、プレート部材２８の背面４３と端子ボックス４の凹部１９から２４で画成された空間Ｓ内において、端子具２５に対してその軸線上に配置されたものとなる。これにより、操作部材３０の摘まみ部材３１を摘んで所定方向に回すことで、連結部材３２の一方端がその軸方向に沿って空間Ｓ内に進むので、この連結部材３２の一方端に連結された端子接触部材２９は、端子具２５に近接してゆき、最終的には端子具２５の頭部の表面と当接する。この端子接触部材２９の端子具２５との当接状態は、操作部材３０の摘まみ部材３１を先程とは逆方向に回さない限り解除されない。
【００４９】
更に、端子ボックス４への計測器用アダプタ１の取り付け時において、プレート部材２８の表面４４に配置されているのは、操作部材３０、しかも基本的には導電性を有しない素材で成る摘まみ部材３１のみとなるので、端子ボックス４に計測器用アダプタ１を取り付けた状態が長期にわたってしまい、この摘まみ部材３１の表面にゴミ等の異物が付着しても、計測器用アダプタ１としては何ら支障がない。
【００５０】
更にまた、端子ボックス４への計測器用アダプタ１の取り付け時において、プレート部材２８の下面４５から引き出された配線３５及びその先端の共用コネクタ３６は、プレート部材２８の表面４４と対峙する域よりも下方に位置したものとなる。このため、中継配線器具３７のコネクタ３８又は中継配線器具４０のコネクタ４１を端子ボックス４より下方から持ち上げる動作をすることにより、このコネクタ３６との接続が可能である。よって、計測器用アダプタ１のプレート部材２８の表面４４側に作業空間を必要としない。
【符号の説明】
【００５１】
１  計測器用アダプタ
２  電力量計（計器）
４  端子ボックス
６〜１１  端子
１２〜１７  電線
１８  端子ボックスの表面
１９〜２４  端子ボックスの凹部
２５〜２６  端子具
２７  端子ボックスの取付孔
２８  プレート部材
２９  端子接触部材
３０  操作部材
３１  摘まみ部材
３２  連結部材
３３  取付用貫通孔
３４  固定具
３５  配線
３６  共用コネクタ
３７  中継配線器具
３８  コネクタ
４０  中継配線器具
４１  コネクタ
４３  プレート部材の背面
４４  プレート部材の表面
４５  プレート部材の下面
４６  貫通孔
【図１】
2012132788.tif 000003
【図２】
2012132788.tif 000004
【図３】
2012132788.tif 000005